(57)【要約】【課題】通信料や情報料を必要としないコンテンツを、対象者を限定して提供することができるようにする。【解決手段】本発明によるコンテンツ配信システムは、利用者の携帯端末にコンテンツを配信する処理を実行するコンテンツ配信装置を備え、コンテンツ配信装置は、ブルートゥース（登録商標）を用いて、無料コンテンツを配信するコンテンツ配信手段と、ブルートゥースを用いた無線エリアを所定範囲内に制限する配信エリア制限手段とを含むことを特徴とする。【選択図】図８
2010004108.tif 000002
【特許請求の範囲】
【請求項１】
利用者の携帯端末にコンテンツを配信する処理を実行するコンテンツ配信装置を備え、
前記コンテンツ配信装置は、
ブルートゥース（登録商標）を用いて、無料コンテンツを配信するコンテンツ配信手段と、
前記ブルートゥースを用いた無線エリアを所定範囲内に制限する配信エリア制限手段とを含む
ことを特徴とするコンテンツ配信システム。
【請求項２】
携帯端末は、
無料コンテンツ要求を送信するコンテンツ要求手段と、
無料コンテンツを受信するコンテンツ受信手段とを含み、
コンテンツ配信手段は、前記携帯端末から受信した前記無料コンテンツ要求に基づいて、前記無料コンテンツを配信する
請求項１記載のコンテンツ配信システム。
【請求項３】
コンテンツ要求手段は、有料コンテンツリスト要求をコンテンツ配信装置に送信し、
コンテンツ配信手段は、携帯端末から受信した前記有料コンテンツリスト要求に基づいて、有料コンテンツリストを前記携帯端末に配信し、
前記携帯端末は、受信した前記有料コンテンツリストに基づいて、有料コンテンツの購入処理を行うコンテンツ購入手段を含む、
請求項１又は請求項２記載のコンテンツ配信システム。
【請求項４】
コンテンツを管理する情報管理装置と、
携帯端末と前記情報管理装置との通信を中継するアクセスポイントとを備え、
前記アクセスポイントは、
ブルートゥースを用いて、前記携帯端末と通信するブルートゥース通信手段と、
前記ブルートゥースを用いた無線エリアを所定範囲内に制限するブルートゥース通信エリア制限手段とを含み、
コンテンツ購入手段は、前記情報管理装置に有料コンテンツの購入要求を送信し、
前記情報管理装置は、
前記携帯端末から受信した前記購入要求に基づいて、前記有料コンテンツを送信するコンテンツ送信手段を含み、
コンテンツ受信手段は、前記情報管理装置から、前記有料コンテンツを受信する
請求項３記載のコンテンツ配信システム。
【請求項５】
課金装置を備え、
前記課金装置は、
携帯端末から受信した購入要求に基づいて、課金処理を行う課金手段と、
前記課金手段が課金したコンテンツのライセンス費用を、情報管理装置に支払う処理を実行するライセンス費用支払手段とを含む
請求項４記載のコンテンツ配信システム。
【請求項６】
配信エリア制限手段は、送信電力を所定値以内に設定することで無線エリアを制限する
請求項１から請求項５のうちいずれか１項に記載のコンテンツ配信システム。
【請求項７】
ブルートゥース通信エリア制御手段は、送信電力を所定値以内に設定することで無線エリアを制限する
請求項４又は請求項５記載のコンテンツ配信システム。
【請求項８】
ブルートゥースを用いて、無料コンテンツを配信するコンテンツ配信手段と、
前記ブルートゥースを用いた無線エリアを所定範囲内に制限する配信エリア制限手段とを
備えたことを特徴とするコンテンツ配信装置。
【請求項９】
コンテンツ配信手段は、携帯端末から受信したコンテンツ要求に基づいて、無料コンテンツを配信する
請求項８記載のコンテンツ配信装置。
【請求項１０】
ブルートゥースを用いて、無料コンテンツを配信するコンテンツ配信ステップと、
前記ブルートゥースを用いた無線エリアを所定範囲内に制限する配信エリア制限ステップとを含む
ことを特徴とするコンテンツ配信方法。
【請求項１１】
無料コンテンツ要求を送信するコンテンツ要求ステップと、
無料コンテンツを受信するコンテンツ受信ステップとを含み、
コンテンツ配信ステップで、前記無料コンテンツ要求に基づいて、前記無料コンテンツを配信する
請求項１０記載のコンテンツ配信方法。
【請求項１２】
コンピュータに、
ブルートゥースを用いて、無料コンテンツを配信するコンテンツ配信処理と、
前記ブルートゥースを用いた無線エリアを所定範囲内に制限する配信エリア制限処理とを
実行させるためのコンテンツ配信用プログラム。
【請求項１３】
コンピュータに、
携帯端末から受信したコンテンツ要求に基づいて、無料コンテンツを配信する処理を実行させる
請求項１２記載のコンテンツ配信用プログラム。
【発明の詳細な説明】
【技術分野】
【０００１】
本発明は、利用者の携帯端末にコンテンツ配信を行うためのコンテンツ配信システム、コンテンツ配信装置、コンテンツ配信方法、及びコンテンツ配信用プログラムに関する。
【背景技術】
【０００２】
店内や街中で流されているＢＧＭの楽曲情報を知りたいというニーズが潜在的にある。例えば、携帯電話会社等は、その点に着目し、流れている音楽を携帯端末に聞き取らせて楽曲を検索するサービスを提供している。
【０００３】
また、コンテンツを利用できるシステムとして、例えば、特許文献１には、無線端末を用いてコンテンツの配信サービスを利用可能な方法が記載されている。
【０００４】
【特許文献１】特開２００６−８５３５３
【発明の開示】
【発明が解決しようとする課題】
【０００５】
飲食チェーン店舗が提供するＢＧＭは、オリジナル選曲であるため、その店舗等においてＰＲを目的に楽曲情報を電子レジスタ（レジ）の横に掲示していた。しかし、イートインエリアの客が利用しづらく、タイムリーな情報提供ができないという問題があった。また、楽曲に興味を持った利用客に携帯電話向けコンテンツ販売をすることも考えられるが、パケット料金の負担減、ダウンロード速度の安定性確保を行うことが必要である。
【０００６】
特許文献１に記載された方法を用いれば、通信料のかからない無線通信を用いてコンテンツ提供を行うことが可能である。しかし、特許文献１に記載の方法では、コンテンツ提供エリアを限定することができない。従って、チェーン店舗がイートインエリアにいる来店者だけに付属サービス（ＢＧＭ）の延長としてコンテンツを提供しようとしても、対象者を限定することができず、フリーライダーを排除することができない。
【０００７】
そこで、本発明は、通信料や情報料を必要としないコンテンツを、対象者を限定して提供することができるコンテンツ配信システム、コンテンツ配信装置、コンテンツ配信方法、及びコンテンツ配信用プログラムを提供することを目的とする。
【課題を解決するための手段】
【０００８】
本発明によるコンテンツ配信システムは、利用者の携帯端末にコンテンツを配信する処理を実行するコンテンツ配信装置を備え、コンテンツ配信装置は、ブルートゥース（登録商標）を用いて、無料コンテンツを配信するコンテンツ配信手段と、ブルートゥースを用いた無線エリアを所定範囲内に制限する配信エリア制限手段とを含むことを特徴とする。
【０００９】
本発明によるコンテンツ配信装置は、ブルートゥースを用いて、無料コンテンツを配信するコンテンツ配信手段と、ブルートゥースを用いた無線エリアを所定範囲内に制限する配信エリア制限手段とを備えたことを特徴とする。
【００１０】
本発明によるコンテンツ配信方法は、ブルートゥースを用いて、無料コンテンツを配信するコンテンツ配信ステップと、ブルートゥースを用いた無線エリアを所定範囲内に制限する配信エリア制限ステップとを含むことを特徴とする。
【００１１】
本発明によるコンテンツ配信用プログラムは、コンピュータに、ブルートゥースを用いて、無料コンテンツを配信するコンテンツ配信処理と、ブルートゥースを用いた無線エリアを所定範囲内に制限する配信エリア制限処理とを実行させるためのものである。
【発明の効果】
【００１２】
本発明によれば、通信料や情報料を必要としないコンテンツを、対象者を限定して提供することができる。
【発明を実施するための最良の形態】
【００１３】
以下、本発明の実施形態について図面を参照して説明する。図１は、本発明によるコンテンツ配信システムの構成の一例を示すブロック図である。図１に示すように、コンテンツ配信システムは、携帯端末１０と、無線情報標識装置２０と、店舗ＰＣ３０と、通信事業者サービスサーバ４０と、チェーン本部管理サーバ５０と、ブルートゥース（以下、ＢＴ）アクセスポイント６０とを含む。また、携帯端末１０と、無線情報標識装置２０と、店舗ＰＣ３０と、ＢＴアクセスポイント６０とは、店舗内に設置され、ＢＴネットワークを介して相互に接続される。携帯端末１０と、通信事業者サービスサーバ４０及びチェーン本部管理サーバ５０とは、通信ネットワーク（具体的には、ＢＴネットワークと、ＢＴアクセスポイント６０と、ブロードバンド（以下、ＢＢ）固定網と、インターネット網）を介して接続される。
【００１４】
なお、本実施形態では、コンテンツ配信システムが音楽配信システムである場合を説明するが、音楽に限らず、画像などの各種コンテンツを配信するシステムであってもよい。
【００１５】
携帯端末１０は、利用者によって保持される端末である。携帯端末１０は、具体的には、プログラム制御により動作する携帯電話機やＰＤＡ等の携帯型の情報処理端末によって実現される。携帯端末１０は、アプリケーションプログラムを搭載する。また、携帯端末１０は、シリアルインターフェースでＢＴ通信を行う機能を備えている。なお、図１では、１つの携帯端末１０を示しているが、コンテンツ配信システムは、複数の携帯端末１０を含んでいてもよい。
【００１６】
無線情報標識装置２０は、店舗内に設置される装置であり、具体的にはプログラム制御により動作し、ＢＴによる通信通信のみが可能なパーソナルコンピュータ等の情報処理装置である。図３は、無線情報標識装置２０の記憶領域の一例をを示す説明図である。図３に示すように、無線情報標識装置２０は、記憶領域がリスト領域と、コンテンツ領域とに区分された記憶部（例えば、ハードディスク装置やメモリ）を備えている。無線情報標識装置２０は、リスト領域には、楽曲リスト（部分試聴データ含む）を格納し、コンテンツ領域には、無償提供の「今月の曲」の楽曲データを格納する。また、無線情報標識装置２０は、ＢＴ対応の情報処理端末と情報の送受信を行う機能を備えている。
【００１７】
店舗ＰＣ３０は、店舗に設置される装置であり、具体的にはプログラム制御により動作するパーソナルコンピュータ等の情報処理装置によって実現される。店舗ＰＣ３０は、チェーン本部管理サーバ５０からコンテンツ等の情報を受信する機能を備えている。また、店舗ＰＣ３０は、無線情報標識装置２０にコンテンツ等の登録を行う機能を備えている。また、店舗ＰＣ３０は、ＢＴのアダプタとアクセスポイントとを備えている。また、店舗ＰＣ３０とチェーン本部管理サーバ５０とは、チェーン店舗間の専用ネットワーク又はインターネット等の通信ネットワークを介して接続される。
【００１８】
通信事業者サービスサーバ４０は、通信事業者によって設置される装置であり、具体的には、プログラム制御により動作するワークステーションやパーソナルコンピュータ等の情報処理装置によって実現される。通信事業者サービスサーバ４０は、通信事業者のコンテンツサービスを提供する機能を備えている。
【００１９】
チェーン本部管理サーバ５０は、チェーン本部によって設置される装置であり、具体的には、プログラム制御により動作するワークステーションやパーソナルコンピュータ等の情報処理装置によって実現される。チェーン本部管理サーバ５０は、各店舗の売り上げ状況、仕入れ状況を管理する機能を備えている。また、チェーン本部管理サーバ５０は、コンテンツ（例えば、顧客サービスや店舗内サービスに関する情報）を、専用ネットワーク又はインターネット等の通信ネットワークを介して、チェーン各店舗に提供する機能を備えている。また、チェーン本部管理サーバ５０は、通信事業者サービスサーバ４０と通信ネットワークとを介して、携帯端末１０に対するサービスを提供する機能を備えている。
【００２０】
ＢＴアクセスポイント６０は、店舗ＰＣに接続されたＢＴアクセスポイントである。ＢＴアクセスポイント６０は、ＢＴを用いて、ＢＴ通信可能な端末や装置等と通信する機能を備えている。また、ＢＴアクセスポイント６０を用いることで、携帯端末１０にてＢＴネットワーク及びＢＢ固定網を介して通信を行うことができ、携帯電話のパケット利用料が不要となる。
【００２１】
図２は、本発明によるコンテンツ配信システムの機能構成を示す機能ブロック図である。図２に示すように、携帯端末１０は、コンテンツ要求手段１１、コンテンツ受信手段１２、及びコンテンツ購入手段１３を含む。
【００２２】
コンテンツ要求手段１１は、具体的には、携帯端末１０の制御部及び操作部によって実現される。コンテンツ要求手段１１は、利用者の操作に従って、ＢＴネットワークを介して、無線情報標識装置２０に無料コンテンツの要求を送信する機能を備えている。
【００２３】
コンテンツ受信手段１２は、具体的には、携帯端末１０の制御部及びＢＴ通信部によって実現される。コンテンツ受信手段１２は、ＢＴネットワークを介して、無線情報標識装置２０から無料コンテンツを受信する機能を備えている。また、コンテンツ受信手段１２は、通信ネットワークを介して、チェーン本部管理サーバ５０から有料コンテンツを受信する機能を備えている。
【００２４】
コンテンツ購入手段１３は、具体的には、携帯端末１０の制御部、操作部、及びＢＴ通信部によって実現される。コンテンツ購入手段１３は、通信ネットワークを介して、チェーン本部管理サーバ５０から有料コンテンツを購入する処理を実行する機能を備えている。
【００２５】
図２に示すように、無線情報標識装置２０は、コンテンツ記憶手段２１、コンテンツ配信手段２２、及び配信エリア制限手段２３を含む。
【００２６】
コンテンツ記憶手段２１は、具体的には、磁気ディスク装置や光ディスク装置等の記憶装置によって実現される。コンテンツ記憶手段２１は、記憶領域として、リスト領域と、コンテンツ領域とを含む。コンテンツ記憶手段２１は、リスト領域には、例えば、楽曲リスト（部分試聴データ含む）を格納し、コンテンツ領域には、例えば、無償提供の「今月の曲」の楽曲データを格納する。
【００２７】
コンテンツ配信手段２２は、具体的には、無線情報標識装置２０の制御部及びＢＴ通信部によって実現される。コンテンツ配信手段２２は、コンテンツ要求手段１１から受信した要求に基づいて、ＢＴネットワークを介して、コンテンツを配信する機能を備えている。
【００２８】
配信エリア制限手段２３は、具体的には、無線情報標識装置２０の制御部及びＢＴ通信部によって実現される。配信エリア制限手段２３は、コンテンツの配信を行うエリアを制限する機能を備えている。
【００２９】
図２に示すように、店舗ＰＣ３０は、コンテンツ取得手段３１、及びコンテンツ登録手段３２を含む。
【００３０】
コンテンツ取得手段３１は、具体的には、店舗ＰＣの制御部及び通信部によって実現される。コンテンツ取得手段３１は、専用ネットワーク又はインターネット等の通信ネットワークを介して、チェーン本部管理サーバ５０からコンテンツ等の情報を取得（例えば、受信）する機能を備えている。
【００３１】
コンテンツ登録手段３２は、具体的には、店舗ＰＣの制御部及びＢＴ通信部によって実現される。コンテンツ登録手段３２は、チェーン本部管理サーバ５０から取得したコンテンツを、ＢＴネットワークを介して、無線情報標識装置２０に登録する機能を備えている。
【００３２】
図２に示すように、通信事業者サービスサーバ４０は、課金手段４１、及びライセンス費用支払手段４２を含む。
【００３３】
課金手段４１は、具体的には、通信事業者サービスサーバ４０の制御部によって実現される。課金手段４１は、携帯端末１０から受信したコンテンツ購入要求に基づいて、有料コンテンツの代金を課金する処理を実行する機能を備えている。
【００３４】
ライセンス費用支払手段４２は、具体的には、通信事業者サービスサーバ４０の制御部によって実現される。ライセンス費用支払手段４２は、課金手段４１が課金したコンテンツのライセンス費用を、例えば、電子決済等を用いて、チェーン本部管理サーバ５０に支払う処理を実行する機能を備えている。
【００３５】
図２に示すように、チェーン本部管理サーバ５０は、コンテンツ送信手段５１を含む。
【００３６】
コンテンツ送信手段５１は、具体的には、チェーン本部管理サーバ５０の制御部及び通信部によって実現される。コンテンツ送信手段５１は、専用ネットワーク又はインターネット等の通信ネットワークを介して、店舗ＰＣ３０にコンテンツを送信する機能を備えている。また、コンテンツ送信手段５１は、通信ネットワークを介して、携帯端末１０にコンテンツを送信する機能を備えている。
【００３７】
図２に示すように、ＢＴアクセスポイント６０は、ＢＴ通信手段６１、及びＢＴ通信エリア制限手段６２を含む。
【００３８】
ＢＴ通信手段６１は、具体的には、ＢＴアクセスポイント６０のＢＴ通信部によって実現される。ＢＴ通信手段６１は、ＢＴを用いて、ＢＴ通信可能な端末や装置等と通信する機能を備えている。
【００３９】
ＢＴ通信エリア制限手段６２は、具体的には、ＢＴアクセスポイント６０の制御部及びＢＴ通信部によって実現される。ＢＴ通信エリア制限手段６２は、ＢＴ通信を行うエリアを制限する機能を備えている。
【００４０】
次に、動作について説明する。図４は、コンテンツ配信システムが実行する処理例を示す流れ図である。利用者は、飲食チェーン店舗による音楽配信サービスの提供を受ける場合、まず、携帯端末１０を用いて、楽曲検索用アプリケーションプログラムのダウンロード操作を行う。すると、携帯端末１０は、利用者の操作に従って、ダウンロード要求をインターネット等の通信ネットワークを介して通信事業者サービスサーバ４０に送信する。
【００４１】
通信事業者サービスサーバ４０は、携帯端末１０からダウンロード要求を受信すると、音楽検索アプリケーションプログラムを、インターネット等の通信ネットワークを介して携帯端末１０に送信する（ステップＳ１）。携帯端末１０はアプリケーションプログラムを通信事業者サービスサーバ４０から受信し、記憶部に格納する（ステップＳ２）。
【００４２】
チェーン本部管理サーバ５０は、各店舗においてＢＧＭ提供する楽曲コンテンツを記憶する。また、チェーン本部管理サーバ５０は、記憶する楽曲コンテンツを、テーマに従い所定期間ごとに（例えば、毎月）更新する（ステップＳ３）。
【００４３】
チェーン本部管理サーバ５０は、専用ネットワーク又はインターネット等の通信ネットワークを介して、記憶している楽曲コンテンツを各チェーン店舗の店舗ＰＣ３０へ定期的に配信する。店舗ＰＣ３０は、チェーン本部管理サーバ５０が配信した楽曲コンテンツを受信（ステップＳ４）し、店内ＢＧＭとして提供する。
【００４４】
ここで、チェーン本部管理サーバ５０が配信する楽曲コンテンツは、付録として楽曲リスト（部分試聴データ込み）を含む。また、楽曲コンテンツは、「今月の曲」として店舗のイートインエリア利用者限定で無償提供するコンテンツを含む。
【００４５】
次に、店舗スタッフは、楽曲リストと「今月の曲」とを店舗ＰＣ３０から、ＢＴアダプタを用いて、無線情報標識装置２０に登録する操作を行う。すると、店舗ＰＣ３０は、店舗スタッフの操作に従って、ＢＴネットワークを介して、楽曲リストと「今月の曲」の楽曲データとを無線情報標識装置２０へ送信する（ステップＳ５、ステップＳ６）。そして、無線情報標識装置２０は、店舗ＰＣ３０から楽曲リストと「今月の曲」の楽曲データとを受信すると、受信した楽曲リストをリスト領域に、「今月の曲」の楽曲データをコンテンツ領域に格納する（ステップＳ７、ステップＳ８）。
【００４６】
次いで、店舗スタッフは、音楽配信サービス提供範囲をイートインエリアに制限するため、無線情報標識装置２０及びＢＴアクセスポイント６０の無線エリアを店舗のイートインエリア内に制限する。すると、無線情報標識装置２０は、店舗スタッフの操作に従い、例えば、送信電力を所定値内に設定することによって、無線エリアを所定範囲内に制限する。また、店舗ＰＣ３０は、店舗スタッフの操作に従って、例えば、ＢＴアクセスポイント６０に送信電力を所定値内に設定させることによって、ＢＴアクセスポイント６０の無線エリアを所定範囲内に制限する。
【００４７】
次に、サービスを利用する際に、利用者は、サービス提供エリア内に入り、携帯端末１０を用いて、音楽検索アプリケーションを立ち上げる操作を行う。携帯端末１０は、利用者の操作に従って、音楽検索アプリケーションを起動する（ステップＳ８）。次いで、携帯端末１０は、利用者の操作に従って、通信ネットワークを介して、チェーン本部管理サーバ５０と通信し、利用者認証処理を行う（ステップＳ９、ステップＳ１０、ステップＳ１１、ステップＳ１２、ステップＳ１３、ステップＳ１４）。
【００４８】
次いで、利用者認証に成功すると（例えば、図５に示すサービス利用許可画面が表示される）、利用者は、携帯端末１０を用いて、楽曲リストをダウンロードする操作を行う。すると、携帯端末１０は、利用者の操作に従って、ＢＴネットワークを介して、楽曲リスト要求を無線情報標識装置２０に送信する（ステップＳ１５）。無線情報標識装置２０は、携帯端末１０から楽曲リスト要求を受信すると、リスト領域に格納している楽曲リストを抽出する。そして、無線情報標識装置２０は、ＢＴネットワークを介して、抽出した楽曲リストを携帯端末１０に送信する（ステップＳ１６）。
【００４９】
次いで、楽曲リスト確認すると（例えば、図６に示す楽曲リスト閲覧画面が表示される）、利用者は、趣向に応じて、携帯端末１０を用いて「今月の曲」を無償ダウンロードする操作を行う。すると、携帯端末１０は、利用者の操作に従って、ＢＴネットワークを介して、無償ダウンロード要求を無線情報標識装置２０に送信する（ステップＳ１７、ステップＳ１８）。無線情報標識装置２０は、携帯端末１０から無償ダウンロード要求を受信すると、コンテンツ領域に格納している「今月の曲」の楽曲データを抽出する。そして、無線情報標識装置２０は、ＢＴネットワークを介して、抽出した「今月の曲」の楽曲データを携帯端末１０に送信する。すると、携帯端末１０は、ＢＴネットワークを介して「今月の曲」の楽曲データを受信する（ステップＳ１９）。
【００５０】
また、利用者は、携帯端末１０を用いて、楽曲を試聴する操作を行う。すると、携帯端末１０は、利用者の操作に従って、ＢＴネットワークを介して、試聴要求を無線情報標識装置２０に送信する。無線情報標識装置２０は、携帯端末１０から試聴要求を受信すると、リスト領域に格納している部分試聴用コンテンツを抽出する。そして、無線情報標識装置２０は、ＢＴネットワークを介して、抽出した部分視聴用コンテンツを携帯端末１０に送信する。携帯端末１０は、無線情報標識装置２０から、部分試聴用コンテンツを受信し、再生する（ステップＳ２０、ステップＳ２１のＮ、ステップＳ２２、ステップＳ２３）。なお、試聴は何度でも行うことができ、また、途中で停止することもできる。
【００５１】
また、利用者は、携帯端末１０を用いて、楽曲の購入操作を行う（例えば、図７に示す楽曲購入画面から購入操作を行う）。すると、携帯端末１０は、通信ネットワークを介して、通信事業者サービスサーバ４０に購入要求を送信する（ステップＳ２１のＹ、ステップＳ２４、ステップＳ２５）。通信事業者サービスサーバ４０は、携帯端末１０から購入要求を受信すると、課金処理を行い、売上情報をチェーン本部管理サーバ５０に送信する（ステップＳ２６）。
【００５２】
なお、コンテンツの購入者は、イートインエリア付近に設置されたＢＴアクセスポイント６０を経由して本部管理サーバにアクセスすることにより、通信費用を負担せずにコンテンツを購入することができる。
【００５３】
次いで、チェーン本部管理サーバ５０は、通信事業者サービスサーバ４０から売上情報を受信すると、通信ネットワークを介して、携帯端末１０に楽曲データを送信する。携帯端末１０は、チェーン本部管理サーバ５０から楽曲データを受信する（ステップＳ２７）。
【００５４】
次いで、通信事業者サービスサーバ４０は、例えば、チェーン本部管理サーバ５０に電子決済により楽曲のライセンス費用を支払う処理を実行する（ステップＳ２８、ステップＳ２９）。また、楽曲購入に伴う課金は、通信事業者サービスサーバ４０にて行われるが、課金処理に伴い発生するライセンス費用は、通信事業者がチェーン本部に対し月末締めで支払うこととしてもよい。
【００５５】
以上に説明したように、本実施形態によれば、無線情報標識装置２０は、近距離通信用のブルートゥースを用いることによって、通信範囲をある程度制限する。さらに、無線情報標識装置２０は、通信出力を制限する。そのため、イートインエリア以外の人はサービスを利用することができないようにすることができる。従って、通信料や情報料を必要としないサービスを、対象者を限定して提供することができる。また、楽曲購入の際、通信事業者にて決済処理を行うが、同時にライセンス費用がチェーン本部に支払われるので、通信事業者と飲食店舗それぞれに収益が生じるようにすることができる。
【００５６】
次に、本発明によるコンテンツ配信システムの最小構成について説明する。図８は、コンテンツ配信システムの最小の構成例を示すブロック図である。図８に示すように、コンテンツ配信システムは、最小の構成要素として、携帯端末１０と、携帯端末にコンテンツを配信する処理を実行する無線情報標識装置２０とを含む。また、無線情報標識装置２０は、ブルートゥースを用いて、無料コンテンツを配信するコンテンツ配信手段２２と、ブルートゥースを用いた無線エリアを所定範囲内に制限する配信エリア制限手段２３とを含む。
【００５７】
図８に示す最小構成のコンテンツ配信システムによれば、通信料や情報料を必要としないサービスを、対象者を限定して提供することができる。
【００５８】
なお、本実施形態では、以下の（１）〜（７）に示すようなコンテンツ配信システムの特徴的構成が示されている。
【００５９】
（１）コンテンツ配信システムは、利用者の携帯端末（例えば、携帯端末１０）にコンテンツを配信する処理を実行するコンテンツ配信装置（例えば、無線情報標識装置２０）を備え、コンテンツ配信装置は、ブルートゥースを用いて、無料コンテンツを配信するコンテンツ配信手段（例えば、コンテンツ配信手段２２によって実現される）と、ブルートゥースを用いた無線エリアを所定範囲内に制限する配信エリア制限手段（例えば、配信エリア制限手段２３によって実現される）とを含むことを特徴とする
【００６０】
（２）コンテンツ配信システムにおいて、携帯端末は、無料コンテンツ要求を送信するコンテンツ要求手段（例えば、コンテンツ要求手段１１によって実現される）と、無料コンテンツを受信するコンテンツ受信手段（例えば、コンテンツ受信手段１２によって実現される）とを含み、コンテンツ配信手段は、携帯端末から受信した無料コンテンツ要求に基づいて、無料コンテンツを配信するように構成されていてもよい。
【００６１】
（３）コンテンツ配信システムにおいて、コンテンツ要求手段は、有料コンテンツリスト要求をコンテンツ配信装置に送信し、コンテンツ配信手段は、携帯端末から受信した有料コンテンツリスト要求に基づいて、有料コンテンツリスト（例えば、楽曲リスト）を携帯端末に配信し、携帯端末は、受信した有料コンテンツリストに基づいて、有料コンテンツ（例えば、楽曲データ）の購入処理を行うコンテンツ購入手段（例えば、コンテンツ購入手段１３によって実現される）を含むように構成されていてもよい。
【００６２】
（４）コンテンツ配信システムは、コンテンツを管理する情報管理装置（例えば、チェーン本部管理サーバ５０）と、携帯端末と情報管理装置との通信を中継するアクセスポイント（例えば、ＢＴアクセスポイント６０）とを備え、アクセスポイントは、ブルートゥースを用いて、携帯端末と通信するブルートゥース通信手段（例えば、ＢＴ通信手段６１によって実現される）と、ブルートゥースを用いた無線エリアを所定範囲内に制限するブルートゥース通信エリア制限手段（例えば、ＢＴ通信エリア制限手段６２によって実現される）とを含み、コンテンツ購入手段は、情報管理装置に有料コンテンツの購入要求を送信し、情報管理装置は、携帯端末から受信した購入要求に基づいて、有料コンテンツを送信するコンテンツ送信手段（例えば、コンテンツ送信手段５１によって実現される）を含み、コンテンツ受信手段は、情報管理装置から、有料コンテンツを受信するように構成されていてもよい。
【００６３】
（５）コンテンツ配信システムは、課金装置（例えば、通信事業者サービスサーバ４０）を備え、課金装置は、携帯端末から受信した購入要求に基づいて、課金処理を行う課金手段（例えば、課金手段４１によって実現される）と、課金手段が課金したコンテンツのライセンス費用を、情報管理装置に支払う処理を実行するライセンス費用支払手段（例えば、ライセンス費用支払手段４２によって実現される）とを含むように構成されていてもよい。
【００６４】
（６）コンテンツ配信システムにおいて、配信エリア制限手段は、送信電力を所定値以内にすることで無線エリアを制限するように構成されていてもよい。
【００６５】
（７）コンテンツ配信システムにおいて、ＢＴ通信エリア制御手段は、送信電力を所定値以内にすることで無線エリアを制限するように構成されていてもよい。
【産業上の利用可能性】
【００６６】
本発明は、利用者の携帯端末にコンテンツを配信する用途に適用できる。
【図面の簡単な説明】
【００６７】
【図１】本発明によるコンテンツ配信システムの構成の一例を示すブロック図である。
【図２】本発明によるコンテンツ配信システムの機能構成の一例を示す機能ブロック図である。
【図３】無線情報標識装置の記憶領域の一例を示す説明図である。
【図４】コンテンツ配信システムが実行する処理例を示す流れ図である。
【図５】携帯端末が表示するサービス利用許可画面の一例である。
【図６】携帯端末が表示する楽曲リスト閲覧画面の一例である。
【図７】携帯端末が表示する楽曲購入画面の一例である。
【図８】コンテンツ配信システムの最小の構成例を示すブロック図である。
【符号の説明】
【００６８】
１０  携帯端末
１１  コンテンツ要求手段
１２  コンテンツ受信手段
１３  コンテンツ購入手段
２０  無線情報標識
２１  コンテンツ記憶手段
２２  コンテンツ配信手段
２３  配信エリア制限手段
３０  店舗ＰＣ
３１  コンテンツ取得手段
３２  コンテンツ登録手段
４０  通信事業者サービスサーバ
４１  課金手段
４２  ライセンス費用支払手段
５０  チェーン本部管理サーバ
５１  コンテンツ送信手段
６０  ＢＴアクセスポイント
６１  ＢＴ通信手段
６２  ＢＴ通信エリア制限手段
【図１】
2010004108.tif 000003
【図２】
2010004108.tif 000004
【図３】
2010004108.tif 000005
【図４】
2010004108.tif 000006
【図５】
2010004108.tif 000007
【図６】
2010004108.tif 000008
【図７】
2010004108.tif 000009
【図８】
2010004108.tif 000010